(57)【要約】本発明はアンカ組立体に関し、さらに詳しくは、アンカボルトが、壁などの穴に固定されたアンカ本体と締結され、アンカ本体の一端に形成された開口部から挿入されたコイルスプリングに固定されるアンカ組立体に関する。本願のアンカ本体は、アンカボルトを堅固に締結するためにコイルスプリングを備えると共に、内壁に本体の他端に向けて断面積が大きくなる傾斜部を備える。また、上記他端側には長さ方向に切欠部が形成されている。
2004507671.tif 000002
【特許請求の範囲】
【請求項１】
拡張部材と、一端にボルト要素を挿入する入口端部が設けられ他端に軸方向に形成された切欠部が設けられた本体部とを含み、ボルト要素を固定、締結するアンカ組立体において、
前記ボルト要素を固定支持するスプリングを含み、
前記アンカ本体が、ボルト要素を挿入する入口側内部に前記スプリングの一端を支持し、前記アンカ本体の他端に向けて徐々に増大する断面積を有する傾斜部と、
端部で前記拡張部材を支持するように端部に向かって半径方向に拡張および縮小される、長手方向の切欠部が形成された延長端部と、
前記スプリングと前記拡張部材とを配置するために前記傾斜部から前記延長端部に向けて形成された内壁と、
前記内壁と前記延長端部との間に形成された首とを含み、
前記スプリングが前記入口端部方向へ外力を受けると、前記傾斜部に接触する前記スプリングの接触面の内部断面積が減少すると共に、前記拡張部材が外力によって前記延長端部方向へ移動すると、前記延長端部が半径方向に広がることを特徴とする、前記アンカ組立体。
【請求項２】
スプリングが、外径は前記入口端部より大きく、内径は前記入口端部と同一であるか又は小さく、かつボルト要素の谷径よりは大きく、ボルト要素の外径よりは小さいスプリングであることを特徴とする、請求項１に記載のアンカ組立体。
【請求項３】
ボルト要素を挿入する入口端部を有するナット組立体であって、
ボルト要素を固定、締結するスプリング、および
前記入口端部から他端部方向に断面積が増えるように傾斜角が形成された傾斜部と、前記傾斜部からその端部に向けて形成された内壁と、前記内壁の端部方向に形成されたロック部とを備えたナット本体を含み、
前記スプリングが、前記ナット本体の前記内壁に挿入されて前記ロック部によって離脱が防止されると共に、前記傾斜部の断面積が狭くなる方向に前記スプリングが外力を受けると、前記傾斜部に接触する前記スプリングの接触面の内部断面積が減少することを特徴とする、前記ナット組立体。
【請求項４】
ロック部の端部に、ボルト要素又はネジ山を有する部材が通過するように出口端部が設けられることを特徴とする、請求項３に記載のナット組立体。
【請求項５】
ロック部が、内壁の端部方向に形成された首と、該首から内壁の端部にわたり半径方向に拡張または縮小される延長端部と、該延長端部に向けて軸方向に形成された少なくとも１つまたは複数の切欠部とを含むことを特徴とする、請求項３または４に記載のナット組立体。
【請求項６】
ロック部が、回転によってスプリングが通過する突起を含むことを特徴とする、請求項３または４に記載のナット組立体。
【請求項７】
突起がコーキング加工されたことを特徴とする請求項６に記載のナット組立体。
【請求項８】
スプリングが、外径は前記入口端部より大きく、 内径は前記入口端部と同一であるか又は小さく、かつボルト要素の谷径よりは大きく、ボルト要素の外径よりは小さいスプリングであることを特徴とする、請求項３〜７のいずれかに記載のナット組立体。
【請求項９】
ボルト要素をアンカ組立体と結合する際の解除を防止するためのアンカ組立体において、
挿入口が長さ方向に形成された筒型状のアンカ本体と、
前記挿入口に長さ方向に挿入されたスプリングと、
前記スプリングの部分で壁に対して弾力的に支持された円錐形拡張部材と、
前記壁に対して前記挿入口の部分に長さ方向に形成された複数の切欠部を有する延長端部であって、壁の開口部に嵌め込まれていると共に、外力による前記拡張部材の壁方向への軸上移動によって拡張されるときに壁の穴に緊密に取り付けられる延長端部と、
アンカ本体の延長部の端部内部に形成された傾斜部とを含み、
前記軸上移動した拡張部材の側面を一支持部とし、他方の支持部が、前記ボルト要素を挿入、回転させることによってボルト要素の雄ネジ部を強制的に結合する雌ネジ部の機能を遂行させるために、スプリングの内径を低減する傾斜部であることを特徴とする、前記アンカ組立体。
【請求項１０】
スプリングが、前記ボルト要素の挿入方向の反対方向へ弾性力を発揮することを特徴とする、請求項９に記載のアンカ組立体。
【請求項１１】
アンカ本体の断面外周形状が、多角形であることを特徴とする、請求項９に記載のアンカ組立体。
【請求項１２】
延長端部が、壁の開口部の端部方向にその断面積が大きくなるように構成され縦断面形状を有することを特徴とする、請求項９に記載のアンカ組立体。
【請求項１３】
ボルト要素が、１ないし２回転させることにより前記アンカ本体に固定、締結されることを特徴とする、請求項９に記載のアンカ組立体。
【請求項１４】
スプリング及び拡張部材をアンカ本体に挿入する段階と、壁の穴の寸法が所定の寸法よりも小さくなるように、治具及び締付け器具によって延長端部を締め付ける段階とを含む、請求項１に記載のアンカ組立体を組立てる方法。
【請求項１５】
ボルト要素をナット組立体と結合する際の解除を防止するためのナット組立体において、
挿入口が長さ方向に形成された筒型状のナット本体と、
前記挿入口に長さ方向に収納されたスプリングと、
このスプリングの一端を弾力的に支持すると共に、前記ナット本体の挿入口の一端を閉鎖する閉鎖部材を締結するために前記アンカ本体の一端部に設けられたロック部と、
ボルト要素を挿入、回転させることによって前記ボルト要素の雄ネジ部を堅固に締結する雌ネジ部の機能を遂行させるために、スプリングの内口径を縮小させるように前記アンカ本体のロック部の端部内部に形成された傾斜部とを含むことを特徴とする前記ナット組立体。
【請求項１６】
ロック部がコーキング加工されることを特徴とする、請求項１５に記載のナット組立体。
【請求項１７】
ナット本体の断面外周形状が、多角形であることを特徴とする、請求項１５に記載のナット組立体。
【請求項１８】
スプリングが、ボルト要素の挿入方向の反対方向へ弾性力を発揮するように構成されることを特徴とする、請求項１５に記載のナット組立体。
【請求項１９】
ボルト要素を、１ないし２回転させることにより前記アンカ本体に固定、締結することを特徴とする、請求項４に記載のナット組立体。
【発明の詳細な説明】
【０００１】
技術分野
本発明はアンカ技術分野で使用されるアンカ組立体及びナット組立体に係り、より詳しくは簡単な方法で固定または締結ができるようにしたアンカ組立体及びナット組立体に関する。
【０００２】
背景技術
アンカの固定とボルト要素との締結において、アンカを壁または天井の穴に固定し、かつボルト要素をアンカに締結するためのこのような種類のアンカは大韓民国公開特許公報特１９９９−０２９９９１に開示されている。この従来の技術では、アンカを壁または天井の穴に挿入するための開口部を備える延長端部に軸上に半径方向に広げられるように拡張部材を貫通させるためのブッシュとアンカとボルト要素との結合のためにアンカに形成されたネジ山とが提供される。このような従来技術では、拡張部材をアンカ本体内に保持するためにブッシュを使用し、またアンカとボルト要素との結合のためにアンカ本体にネジ山を形成し、このネジ山にボルト要素を回転させることによりアンカとボルト要素とを結合しなくてはならない。この場合に、ボルト要素をアンカ本体に結合する時間が長くなるという問題がある。
【０００３】
本発明は上記の関連技術の制約と欠点とによる１つまたは複数の問題点を解決するアンカおよびナット組立体を目的とするものである。本発明の目的は、ボルト要素をアンカに簡単に締結することにより、その締結時間を短縮させるとともに、アンカ内の拡張部材要素の離脱を防止し、アンカーが壁などの穴にしっかり固定されるアンカ組立体を提供することである。
【０００４】
本発明の他の目的は、上記アンカ組立体でのボルト要素との簡単
な結合方式を利用したナット組立体を提供することである。
上記の目的を達成するために、本発明のアンカ組立体は、拡張部材と、一端にはボルト要素が挿入される入口端部を備え、かつ他端には軸方向に形成された切欠部を備えた本体部とを含み、ボルト要素を固定、締結するアンカ組立体において、
上記ボルト要素を固定支持するスプリングを含み、
上記アンカ本体にはボルト要素挿入側内部に上記スプリングの一端を支持し上記本体の他端に向けて断面積が大きくなるように傾斜角が形成された傾斜部と、
【０００５】
他端側に上記拡張部材を支持するように軸の他端方向にわたり半径方向に拡張および縮小される、上記長さ方向の切欠部が形成された延長端部と、
上記スプリングと上記拡張部材を配置するために、上記傾斜部から上記延長端部に向けて形成された内壁と、上記内壁と上記延長端部との間に形成された首とを含み、
上記入口端部方向へ上記スプリングが外力を受ける時に上記傾斜部に接触する上記スプリングの接触面の内部断面積が減少し、上記拡張部材が外力によって上記延長端部方向に移動されると上記延長端部が放射形に広げられるように構成する。
【０００６】
本発明のアンカ組立体はアンカ本体、スプリング、及び拡張部材を含む。アンカ本体は、一端にボルト要素が挿入され上記スプリングを支持する入口部、上記スプリングと上記拡張部材を受容する内壁を含む中間部、及び壁などの穴にアンカ組立体を固定支持させて上記拡張部材の離脱を防ぐように他端に形成された固定部を含む。上記入口部には、ボルト要素が挿入される入口と上記入口の付近で上記本体の中心に向けて断面積が増大するように内部に形成された傾斜部とが設けられている。上記中心部の内壁の、上記入口側にスプリングが挿入され、上記固定部側に拡張部材が位置する。上記固定部には、上記内壁の端部に設けられた首と、上記首から軸の他端方向にわたり半径方向に拡張および縮小されると共に、上記切欠部が形成された延長端部が設けられている。延長端部は上記首から軸の端部方向に厚さが徐々に厚くなる。
【０００７】
本発明は、ビジネスモデル、技術的方法およびシステムの範囲内において変更、変換、置換、代替が可能であり、上記の内容に制約されるものではない。
本発明のさらなる目的および利点は、添付の図面と合わせて以下の詳細な説明を読むことで、より詳細に理解されるであろう。
【０００８】
発明を実施するための最良の形態
本発明のアンカ組立体は次のような順序で組立され使用される。
上記アンカ本体は、切欠部が形成された状態で製造される。製造された上記アンカ本体において、先ず上記スプリングが上記延長端部から上記傾斜部方向へ挿入された後、拡張部材が挿入される。上記延長端部が拡張および縮小されて上記スプリングと上記拡張部材が上記本体から離脱することを防止する。
【０００９】
組立て済みのアンカ組立体の上記延長端部が、壁などの穴に挿入され、ハンマーなどの工具によって上記拡張部材が外力を受けて上記延長端部に移動するときに、上記拡張部材によって上記延長端部が縦軸に対して半径方向放射刑に広げられる。次いで、アンカ組立体が、上記延長端部と拡張部材によって壁などの穴に固定される。
【００１０】
次に、ボルト要素がアンカ組立体の上記入口部に挿入されると、ボルト要素はスプリングと接触した状態で上記スプリング内部に接触挿入されて、ボルト要素のネジ山と溝との間に上記スプリングが位置するようになる。その後、上記ボルト要素が再度入口側に移動すると、上記スプリングが傾斜部と接触する。上記スプリングの接触内面積が縮小され、上記ボルト要素の溝に密着されて、一般ナットの雌ネジのように上記ボルト要素を固定支持するようになる。好ましくは、上記スプリングとしては一般コイルスプリングを使う。
【００１１】
また上記スプリングが上記拡張部材を支持し加圧するので、上記拡張部材の入口部や固定部を通じる離脱が防止され、アンカ組立体が壁などに固定された状態でも上記スプリングによって固定位置が保持されてアンカ組立体自体もさらに堅固に固定される。
【００１２】
以下、図面を参照して本発明の望ましい実施例を詳しく説明する。
図１は、本発明によるアンカ組立体の部分断面斜視図で、アンカ組立体の各構成要素が互いに組み付けられた状態を示す。
図２は、本発明によるアンカ組立体の各部品の斜視図で、アンカ組立体の構成要素が組み付けられる以前の状態を示す。
図３は、本発明によってボルト要素がアンカ組立体に結合された状 態を図示する部分断面図で、ボルト要素とスプリングとが傾斜部によって締結固定する方法を示す。
図４は、本発明によるナット組立体の一部端面斜視図である。
【００１３】
図１と２は本発明による第１の好ましい実施例を示す。図１に示すように、アンカ本体（１０）には、一端に形成されて、ボルト又は雄ネジ山を有する部材（４０）を挿入するための入口端部（１１）と、上記入口端部（１１）の近傍からアンカ本体の他端方向に径が縮小する、円錐形に形成された傾斜部（１２）とが備えられている。傾斜部（１２）は、その内径が入口端部（１１）からその端部に向かって徐々に縮小している内壁（１３）と、内壁（１３）の端部に形成された首（１７）とを含む。さらに、アンカ本体は、上記首（１７）から端部にわたって半径方向に拡張または縮小させることのできる延長端部（１９）と、上記延長端部（１９）に向けて軸方向に形成された少なくとも１つまたは複数の切欠部（１８）とを含む。上記延長端部（１９）は上記首（１７）から軸方向に厚さが増加して、図１に示すように、アンカ組立体が組み立てられた状態で、上記首（１７）の断面積は、上記延長端部（１９）の端部の断面積よりも小さくなる。
【００１４】
コイルスプリング（２０）は、上記アンカ本体（１０）の上記内壁（１３）に挿入され、外径は上記入口端部（１１）より大きく、内径は上記入口端部（１１）と同一であるかまたはそれよりも小さく、かつボルト要素の谷径よりは大きく、外径よりは小さい。
【００１５】
拡張部材（３０）は、入口軸径が上記コイルスプリング（２０）の内径より大きく、円錐形の加工された延長端部の径が入口軸方向の径より小さい拡張部材（１３）は、上記コイルスプリング（２０）と上記アンカ本体（１０）の延長端部（１９）との間に挿入されて離脱が防止される。
【００１６】
図２において上記アンカ本体（１０）は、上記コイルスプリング（２０）と上記拡張部材（３０）が挿入される前の状態であり、上記コイルスプリング（２０）と上記拡張部材（３０）を挿入するために上記延長端部（１９）が縦軸上で半径方向に広げられている。
【００１７】
図２のようにアンカ組立体の各構成要素が制作され、上記アンカ本体（１０）の上記延長端部（１９）を通じて上記コイルスプリング（２０）が最初に挿入され、次いで拡張部材（３０）が挿入される。最終的に、上記延長端部（１９）が外力によって中心軸方向において半径方向に縮小されて、アンカ組立体の組立が完了する。
【００１８】
第１の実施例では、壁などの穴に上記延長端部（１９）が挿入され、ハンマー又はピン等によって上記拡張部材（３０）が外力を受けて長さ方向の上記延長端部側に移動されるときに、上記拡張部材（３０）によって上記延長端部（１９）が縦軸に対して半径方向に拡張される。次いで、上記延長端部（１９）によってアンカ組立体が壁などの穴に固定される。
【００１９】
その後に、ボルト要素がアンカ組立体の上記入口端部（１１）に挿入されると、上記コイルスプリング（２０）内部に接触した状態で挿入され、ボルト要素が拡張部材の一面に接触されて、上記ボルト要素のネジ山と溝との間に上記コイルスプリング（２０）が位置するようになる。この際に、図３に示すように、ボルト要素を右側（右ネジである場合に）又は左側（左ネジである場合）へ約１回ないし２回回転させると、上記コイルスプリング（２０）がボルト要素のほぼネジ山に位置するようになる。その後、上記ボルト要素が再度上記入口端部（１１）方向へ移動させられると上記コイルスプリング（２０）もボルト要素と共に、上記傾斜部（１２）へ移動するようになる。
【００２０】
次いで、上記傾斜部（１２）に接触する上記コイルスプリング（２０）の内径が縮小され、上記コイルスプリング（２０）が上記ボルト要素の溝にさらに圧着されて上記ボルト要素と結合するようになる。この際に、アンカ本体の上記入口端部（１１）側にある上記コイルスプリング（２０）の端部は、上記ボルト要素のネジ部と上記傾斜部（１２）の傾斜面との間に位置して、上記ボルト要素が離脱されないようにする。このことにより、普通のナットがボルト要素と締結されるのと同様に、上記ボルト要素が上記コイルスプリング（２０）によってアンカ組立体に結合される。
【００２１】
本発明による第２の実施例を、図４を参照して以下に詳しく説明する。
ナット組立体は、図１のアンカ組立体と類似した構造を有する。すなわち、ナット組立体は拡張部材を使用しないことを除いて、上記アンカ組立体と同一の構造を有する。但し、ナット本体（５０）がナットとして使用されるためにユーザーの目的によってその長さが調整できると共に、ナット本体（５０）の内壁（５３）はアンカ組立体の内壁とは異なり、スプリングだけを受容すれれば良いのでスプリングの長さによって調節できる。即ち、アンカ本体（１０）の入口部と中間部と固定部とがそのまま使用される。
【００２２】
ナット組立体においては、拡張部材（３９）を使用しないために、アンカ組立体の延長端部（１９）は使用中に拡張されない。しかし、ロック部はアンカ組立体の延長部と同じ構造では製作されない。ロック部はスプリングの離脱を防止するためのものであるので、リングなどの周知の適当な手段を用いることができる。代替手法として、ロック部に別途の部材を設けることなく、突起又はコーキング加工を行うと共に、スプリングを雄ネジのように回転させてナット本体に挿入することによって、拡張力によってスプリングを離脱しないようにしてもよい。
【００２３】
本発明のナット組立体は、ボルト要素を固定、締結するスプリング （２０）とナット本体（５０）とを含む。ナット本体（５０）は、入口端部 （５１）と、上記入口端部（５１）付近から軸上でナット本体（５０）の端部方向に断面積が増えるように入口端部（５１）において傾斜角が形成された傾斜部（５２）と、上記傾斜部（５２）から軸の端部方向に向けて形成された内壁（５３）と、上記内壁（５３）の軸の他端方向に形成された首（５７）と、上記首（５７）から軸の他端方向において半径方向に拡張および縮小される延長端部（５９）と、上記延長端部 （５９）に向けて軸方向に形成された少なくとも１つまたは複数の切欠部（５８）とを含む。
【００２４】
ナット組立体では、上記スプリングが上記ナット本体の上記内壁 （５３）に挿入され上記ロック部（６０）によって離脱が防止される。上記傾 斜部（５２）の断面積が狭くなる方向に上記スプリング（２０）が外力を受けるときに、上記傾斜部（５２）に接触する上記スプリング（２０）の接触面の内部断面積が減少する。上記ロック部はアンカ組立体のアンカ本体の固定部と類似した構造を有する。代替手法として、上記ロック部（６０）は、コーキング加工部又は突起部を備えるが、固定部と同じ機能を持たせることもできる。
【００２５】
さらに、上記アンカ組立体のように、ボルト要素及びスプリングの支持部を設け、ナット本体の一端を閉鎖する閉鎖部材（７０）をナット本体に挿入し、コーキング加工を施してロック部（６０）を形成しても良いことが理解されるであろう。
【００２６】
産業上の利用可能性
上記に説明したように、本発明によるアンカ組立体とナット組立体との効果は次の通りである。
第１に、本発明のアンカ組立体は、壁などの穴に簡便・確実に固定、締結することができる。さらに、ボルト要素を上記アンカ組立体に締結し結合する工程と時間が大幅に短縮される。
第２に、本発明のナット組立体では、ボルト要素を簡便にナット組立体に結合することができる。
【００２７】
又、上記アンカ本体及びナット本体断面の外周部形状を多角形に形成することにより、クランピング機器などによる結合力をより効果的に伝達又は支持できるようにしても良い。
したがって、改良されたアンカ組立体とナット組立体とは 、上記の目的を効果的に達成し、安全、 簡便、安価、効率的であり、先行装置の問題点を解決して当分野での新しい効果を提供する。
【００２８】
前述の説明では、特定用語が簡潔性、明確性及び理解のために使用されたが、このような用語は記述の目的として広範囲に説明されるように意図されたので、不必要な制限が先行技術の要件を超えて内包されるものではない。
さらに、本発明の説明及び例示は実例を通してなされたものであり、本発明の範囲は上記図示や詳細な記述に限定されない。
【００２９】
本発明の特徴、発見物及び原理が記述されることにより、モニタリング装置とパッチ手段を構成して使用する方式、構成物の特徴、長所が得られる。有用で新しい構造、装置、要素、配置、部品、組合せ及び方法が添付された請求項に記述される。
【図面の簡単な説明】
【図１】本発明によるアンカ組立体の部分断面斜視図である。
【図２】本発明によるアンカ組立体の部品各々の斜視図である。
【図３】本発明によってアンカ組立体にボルト要素が結合された状態を図示する部分断面図である。
【図４】本発明によるナット組立体の一部断面斜視図である。
【図１】
2004507671.tif 000003
【図２】
2004507671.tif 000004
【図３】
2004507671.tif 000005
【図４】
2004507671.tif 000006
【図５】
2004507671.tif 000007
【国際公開パンフレット】
2004507671.tif 000008
2004507671.tif 000009
2004507671.tif 000010
2004507671.tif 000011
2004507671.tif 000012
2004507671.tif 000013
2004507671.tif 000014
2004507671.tif 000015
2004507671.tif 000016
2004507671.tif 000017
2004507671.tif 000018
2004507671.tif 000019
2004507671.tif 000020
2004507671.tif 000021
2004507671.tif 000022
2004507671.tif 000023
2004507671.tif 000024
2004507671.tif 000025
2004507671.tif 000026
2004507671.tif 000027
2004507671.tif 000028
【手続補正書】
【提出日】平成14年10月13日(2002.10.13)
【手続補正１】
【補正対象書類名】明細書
【補正対象項目名】請求項８
【補正方法】変更
【補正の内容】
【請求項８】
スプリングが、外径は前記入口端部より大きく、 内径は前記入口端部と同一であるか又は小さく、かつボルト要素の谷径よりは大きく、ボルト要素の外径よりは小さいスプリングであることを特徴とする、請求項３、４及び７のいずれかに記載のナット組立体。
【手続補正２】
【補正対象書類名】明細書
【補正対象項目名】請求項１４
【補正方法】変更
【補正の内容】
【請求項１４】
スプリング及び拡張部材をアンカ本体に挿入する段階と、壁の穴の寸法が所定の寸法よりも小さくなるように、治具及び締付け器具によって延長端部を締め付ける段階とを含む、請求項９に記載のアンカ組立体を組立てる方法。
【手続補正３】
【補正対象書類名】明細書
【補正対象項目名】００１２
【補正方法】変更
【補正の内容】
【００１２】
以下、図面を参照して本発明の望ましい実施例を詳しく説明する。
図１は、本発明によるアンカ組立体の部分断面斜視図で、アンカ組立体の各構成要素が互いに組み付けられた状態を示す。
図２は、本発明によるアンカ組立体の各部品の斜視図で、アンカ組立体の構成要素が組み付けられる以前の状態を示す。
図３は、本発明によってボルト要素がアンカ組立体に結合された状 態を図示する部分断面図で、ボルト要素とスプリングとが傾斜部によって締結固定する方法を示す。
図４は、本発明によるナット組立体の一部端面斜視図である。
図５は、本発明の他の実施例によるナット組立体の部分断面斜視図である。


【手続補正４】
【補正対象書類名】明細書
【補正対象項目名】００２４
【補正方法】変更
【補正の内容】
【００２４】
図５に示すように、ナット組立体では、上記スプリングが上記ナット本体の上記内壁 （５３）に挿入され上記ロック部（６０）によって離脱が防止される。上記傾 斜部（５２）の断面積が狭くなる方向に上記スプリング（２０）が外力を受けるときに、上記傾斜部（５２）に接触する上記スプリング（２０）の接触面の内部断面積が減少する。上記ロック部はアンカ組立体のアンカ本体の固定部と類似した構造を有する。代替手法として、上記ロック部（６０）は、コーキング加工部又は突起部を備えるが、固定部と同じ機能を持たせることもできる。


【手続補正５】
【補正対象書類名】明細書
【補正対象項目名】図５
【補正方法】追加
【補正の内容】
【図５】本発明の他の実施例によるによるナット組立体の部分断面斜視図である。


【手続補正６】
【補正対象書類名】図面
【補正対象項目名】全図
【補正方法】変更
【補正の内容】
【図１】
2004507671.tif 000029
【図２】
2004507671.tif 000030
【図３】
2004507671.tif 000031
【図４】
2004507671.tif 000032
【図５】
2004507671.tif 000033
【国際調査報告】
2004507671.tif 000034